(57)【要約】【課題】安定した書込み放電を発生させるために必要な壁電荷を１回の初期化動作において確実に形成することができるＰＤＰの駆動方法およびプラズマディスプレイ装置を提供する。【解決手段】初期化期間前半部では、データ電極Ｄ１〜Ｄｍ、維持電極ＳＵ１〜ＳＵｎをそれぞれ０（Ｖ）に保持し、走査電極ＳＣ１〜ＳＣｎには、電圧Ｖｉ１から電圧Ｖｉ２に向かって緩やかに上昇する傾斜波形電圧を印加する。初期化期間後半部では、維持電極ＳＵ１〜ＳＵｎを正電圧Ｖｅに保ち、走査電極ＳＣ１〜ＳＣｎには維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加し、データ電極Ｄ１〜Ｄｍには、走査電極ＳＣ１〜ＳＣｎに傾斜波形電圧が印加されている期間だけ継続される電圧Ｖｄａｔａとなる正の矩形波形電圧を印加する。【選択図】図４
2007133207.tif 000002
【特許請求の範囲】
【請求項１】
表示電極対を構成する平行に配置された複数の走査電極および維持電極と前記表示電極対と交差する方向に配置された複数のデータ電極との交差部に放電セルを形成してなるプラズマディスプレイパネルの駆動方法であって、
１フィールド期間を前記放電セルに選択的に書込み放電を発生させる書込み期間と前記書込み放電を発生させた前記放電セルに維持放電を発生させる維持期間とを有する複数のサブフィールドから構成するとともに、１フィールド期間に少なくとも１回の初期化放電を前記放電セルに発生させる初期化期間を有し、
前記初期化期間は、
前記走査電極に上り傾斜波形電圧を印加して、前記走査電極を陽極とし前記維持電極および前記データ電極を陰極とする第１の初期化放電を行う第１の初期化期間と、
前記走査電極に下り傾斜波形電圧を印加して、前記走査電極を陰極とし前記維持電極および前記データ電極を陽極とする第２の初期化放電を行う第２の初期化期間とを有し、
前記第２の初期化期間において前記データ電極に正の矩形波形電圧を印加すること
を特徴とするプラズマディスプレイパネルの駆動方法。
【請求項２】
表示電極対を構成する平行に配置された複数の走査電極および維持電極と前記表示電極対と交差する方向に配置された複数のデータ電極との交差部に放電セルを形成してなるプラズマディスプレイパネルと、
前記走査電極を駆動する走査電極駆動回路と、
前記維持電極を駆動する維持電極駆動回路と、
前記データ電極を駆動するデータ電極駆動回路とを備え、
第１の初期化期間と第２の初期化期間とを有する初期化期間において、
前記走査電極駆動回路は、前記第１の初期化期間では、前記走査電極を陽極とし前記維持電極および前記データ電極を陰極とする第１の初期化放電を発生させるための上り傾斜波形電圧を前記走査電極に印加するとともに、前記第２の初期化期間では、前記走査電極を陰極とし前記維持電極および前記データ電極を陽極とする第２の初期化放電を発生させるための下り傾斜波形電圧を前記走査電極に印加し、
前記データ電極駆動回路は、前記第２の初期化期間において前記データ電極に正の矩形波形電圧を印加するように構成したこと
を特徴とするプラズマディスプレイ装置。
【発明の詳細な説明】
【技術分野】
【０００１】
本発明は、壁掛けテレビや大型モニターに用いられるプラズマディスプレイパネルの駆動方法およびプラズマディスプレイ装置に関する。
【背景技術】
【０００２】
プラズマディスプレイパネルは、大画面、薄型、軽量であることを特徴とする視認性に優れた表示デバイスである。
【０００３】
プラズマディスプレイパネルとして代表的な交流面放電型プラズマディスプレイパネル（以下、「ＰＤＰ」と略記する）は、対向配置された前面板と背面板との間に多数の放電セルが形成されている。前面板は、走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差してマトリックスを組むように前面板と背面板とが対向配置され、その外周部をガラスフリット等の封着材によって封着することにより密封されている。
【０００４】
また、前面板と背面板との両基板間に形成された放電空間には放電によって紫外線を放射するネオン（Ｎｅ）とキセノン（Ｘｅ）との混合ガスが封入されている。放電空間には、隔壁によって区画された放電セルが設けられ、この隔壁間のセル空間に蛍光体層が形成された構成である。このようにして構成された放電セルによって表示セルが形成される。このような構成のＰＤＰにおいて、各電極に駆動パルス電圧を印加して各放電セル内でガス放電を発生させ、そのガス放電により紫外線を発生させる。そして、その紫外線で赤色（Ｒ）、緑色（Ｇ）および青色（Ｂ）の各色の蛍光体を励起して発光させることによりカラー表示を行っている。
【０００５】
ＰＤＰを駆動する方法としてはサブフィールド法、すなわち、１フィールド期間を複数のサブフィールドに分割した上で、発光させるサブフィールドの組み合わせによって階調表示を行う方法が一般的である。各サブフィールドは初期化期間、書込み期間および維持期間を有し、放電セルを発光させるために、初期化期間、書込み期間および維持期間でそれぞれ異なる信号波形を各電極に印加している。
【０００６】
初期化期間では、全ての放電セルで一斉に初期化放電を行い、それ以前の個々の放電セルに対する壁電荷の履歴を消すとともに、続く書込み動作のために必要な壁電荷を形成する。加えて、放電遅れを小さくし書込み放電を安定して発生させるためのプライミング（放電のための起爆剤＝励起粒子）を発生させるという働きを持つ。書込み期間では、走査電極に順次走査パルス電圧を印加するとともに、データ電極には表示すべき画像信号に対応した書込みパルス電圧を印加し、走査電極とデータ電極との間で選択的に書込み放電を発生させ、選択的な壁電荷形成を行う。続く維持期間では、走査電極と維持電極との間に所定の回数の維持パルス電圧を印加し、書込み放電による壁電荷形成を行った放電セルを選択的に放電させ発光させる。
【０００７】
このようなＰＤＰにおいて、コントラストの高い見やすい画像を表示することが重要であるが、そのような要望に応えるために黒の視認性を向上させてコントラストを高めることができるＰＤＰの駆動方法が提案されている（例えば、特許文献１参照）。
【特許文献１】特開２０００−２４２２２４号公報
【発明の開示】
【発明が解決しようとする課題】
【０００８】
上述した従来技術におけるＰＤＰの駆動方法では、１フィールド期間を構成する複数のサブフィールドのうちの最初のサブフィールドの初期化期間では画像表示にかかわる全ての放電セルで初期化放電を発生させる全セル初期化動作を行い、２番目以降のサブフィールドはその直前のサブフィールドの維持期間で維持放電を行った放電セルに対して選択的に初期化放電を発生させる選択初期化動作を行っている。
【０００９】
以下、この駆動方法における駆動電圧波形について図面を用いて説明する。図５は、従来技術におけるＰＤＰの各電極に印加する駆動電圧波形を示す図である。
【００１０】
まず、全セル初期化期間のうちの初期化期間前半部では、ｍ本のデータ電極Ｄ１〜Ｄｍ、ｎ本の維持電極ＳＵ１〜ＳＵｎをそれぞれ０（Ｖ）に保持し、ｎ本の走査電極ＳＣ１〜ＳＣｎには、データ電極Ｄ１〜Ｄｍに対して放電開始電圧以下の電圧Ｖｉ１から、放電開始電圧を超える電圧Ｖｉ２に向かって緩やかに上昇する傾斜波形電圧を印加する。これにより、走査電極ＳＣ１〜ＳＣｎと維持電極ＳＵ１〜ＳＵｎ、データ電極Ｄ１〜Ｄｍとの間でそれぞれ１回目の微弱な初期化放電が起こる。そして、走査電極ＳＣ１〜ＳＣｎ上部に負の壁電圧が蓄積され、データ電極Ｄ１〜Ｄｍ上部および維持電極ＳＵ１〜ＳＵｎ上部には正の壁電圧が蓄積される。ここで、電極上部の壁電圧とは電極を覆う誘電体層上に蓄積された壁電荷により生じる電圧を表す。
【００１１】
続く全セル初期化期間のうちの初期化期間後半部では、維持電極ＳＵ１〜ＳＵｎを正電圧Ｖｅに保ち、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍとの間でそれぞれ２回目の微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。以上により画像表示にかかわる全ての放電セルで初期化放電を発生させる全セル初期化動作が終了する。
【００１２】
次に、書込み期間では、走査電極ＳＣ１〜ＳＣｎを一旦電圧Ｖｓに保持する。そして、走査電極ＳＣｐ（ｐは１〜ｎの整数）に走査パルス電圧Ｖａを印加するとともに、ｐ行目に表示すべき映像信号に対応するデータ電極Ｄｑ（ＤｑはＤ１〜Ｄｍのうち映像信号にもとづき選択されるデータ電極）に正の書込みパルス電圧Ｖｄを印加する。これによりデータ電極Ｄｑと走査電極ＳＣｐとの交差部に対応する放電セルＣｐ，ｑで書込み放電が発生する。この書込み放電により放電セルＣｐ，ｑの走査電極ＳＣｐ上部に正の壁電圧が蓄積され、維持電極ＳＵｐ上部に負の壁電圧が蓄積されて、書込み動作が終了する。以下、同様の書込み動作をｎ行目の放電セルＣｎ，ｑに至るまで行い、書込み動作が終了する。
【００１３】
続く維持期間では、走査電極ＳＣ１〜ＳＣｎを０（Ｖ）に一旦戻した後、走査電極ＳＣ１〜ＳＣｎに正の維持パルス電圧Ｖｕを印加する。その後、維持電極ＳＵ１〜ＳＵｎを０（Ｖ）に戻す。このとき、書込み放電を起こした放電セルＣｐ，ｑにおける走査電極ＳＣｐ上部と維持電極ＳＵｐ上部との間の電圧は、正の維持パルス電圧Ｖｕに加えて、書込み期間に蓄積された壁電圧が加算されて放電開始電圧より大きくなり、１回目の維持放電が発生する。そして、維持放電を起こした放電セルＣｐ，ｑでは、維持放電発生時における電位差を打ち消すように走査電極ＳＣｐ上部に負の壁電圧が蓄積され、維持電極ＳＵｐ上部に正の壁電圧が蓄積される。こうして、１回目の維持放電が終了する。１回目の維持放電の後、維持電極ＳＵ１〜ＳＵｎに正の維持パルス電圧Ｖｕを印加し、その後、走査電極ＳＣ１〜ＳＣｎを０（Ｖ）に戻す。このとき、１回目の維持放電を起こした放電セルＣｐ，ｑでは、正の維持パルス電圧Ｖｕに加えて、１回目の維持放電によって蓄積された壁電圧が加算されて放電開始電圧より大きくなり、２回目の維持放電が発生する。以降同様に、走査電極ＳＣ１〜ＳＣｎと維持電極ＳＵ１〜ＳＵｎとに維持パルスを交互に印加することにより、書込み放電を起こした放電セルＣｐ，ｑに対して維持パルスの回数だけ維持放電が継続して行われる。
【００１４】
続くサブフィールドの初期化期間（図示せず）では、維持動作の終了後、維持電極ＳＵ１〜ＳＵｎを正電圧Ｖｅに保ち、走査電極ＳＣ１〜ＳＣｎには電圧Ｖｉ４に向かって緩やかに下降する傾斜波形電圧を印加する。すると、維持放電を行った放電セルＣｐ，ｑの走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部および維持電極ＳＵ１〜ＳＵｎ上部の壁電圧が弱められ、データ電極Ｄ１〜Ｄｍ上部の正の壁電圧は書込み動作に適した値に調整される。
【００１５】
この後に続く書込み期間、維持期間、初期化期間における駆動波形およびパネルの動作は上述と同様である。
【００１６】
画像信号にもとづきＰＤＰに画像を正しく表示させるためには、書込み期間における選択的な書込み放電を確実に行うことが重要である。そして、書込み放電を確実に発生させるためには、初期化期間において安定した初期化放電を発生させ、書込み放電に必要な壁電荷を過不足なく形成することが重要となる。
【００１７】
しかし、初期化放電で強い放電を発生させると、画像の表示には不要な発光を生じさせてしまう。そのような不要な発光が生じないように、初期化放電は微弱な放電にしている。一方で、データ電極上に形成された蛍光体層が放電を起こり難くしている等、走査電極とデータ電極との間での放電は不安定になりやすい。そして、初期化放電が不安定に発生すると、書込み放電に必要な壁電荷が形成されない恐れがある。
【００１８】
また、全セル初期化動作を１フィールド期間に１回しか行わない上述したような駆動方法では、サブフィールド毎に選択初期化動作が発生する放電セルがある一方で、１フィールド期間に１回だけしか初期化放電が発生しない放電セルも存在する。したがって、１回の全セル初期化動作において、書込み放電に必要な壁電荷を過不足なく確実に形成することが、より重要となる。
【００１９】
本発明は、このような課題に鑑みてなされたものであり、安定した書込み放電を発生させるために必要な壁電荷を１回の初期化動作で過不足なく確実に形成し、書込み放電を安定に発生させることができるＰＤＰの駆動方法およびプラズマディスプレイ装置を提供することを目的とする。
【課題を解決するための手段】
【００２０】
このような目的を達成するために、本発明のＰＤＰの駆動方法は、表示電極対を構成する平行に配置された複数の走査電極および維持電極と表示電極対と交差する方向に配置された複数のデータ電極との交差部に放電セルを形成してなるＰＤＰの駆動方法であって、１フィールド期間を放電セルに選択的に書込み放電を発生させる書込み期間と書込み放電を発生させた放電セルに維持放電を発生させる維持期間とを有する複数のサブフィールドから構成するとともに、１フィールド期間に少なくとも１回の初期化放電を放電セルに発生させる初期化期間を有し、初期化期間は、走査電極に上り傾斜波形電圧を印加して、走査電極を陽極とし維持電極およびデータ電極を陰極とする第１の初期化放電を行う第１の初期化期間と、走査電極に下り傾斜波形電圧を印加して、走査電極を陰極とし維持電極およびデータ電極を陽極とする第２の初期化放電を行う第２の初期化期間とを有し、第２の初期化期間においてデータ電極に正の矩形波形電圧を印加することを特徴とする。
【００２１】
この方法によれば、安定した書込み放電を発生させるために必要な壁電荷を１回の初期化動作において確実に形成し、書込み放電を安定に発生させることが可能となる。
【００２２】
また、本発明のプラズマディスプレイ装置は、表示電極対を構成する平行に配置された複数の走査電極および維持電極と表示電極対と交差する方向に配置された複数のデータ電極との交差部に放電セルを形成してなるＰＤＰと、走査電極を駆動する走査電極駆動回路と、維持電極を駆動する維持電極駆動回路と、データ電極を駆動するデータ電極駆動回路とを備え、第１の初期化期間と第２の初期化期間とを有する初期化期間において、走査電極駆動回路は、第１の初期化期間では、走査電極を陽極とし維持電極およびデータ電極を陰極とする第１の初期化放電を発生させるための上り傾斜波形電圧を走査電極に印加するとともに、第２の初期化期間では、走査電極を陰極とし維持電極およびデータ電極を陽極とする第２の初期化放電を発生させるための下り傾斜波形電圧を走査電極に印加し、データ電極駆動回路は、第２の初期化期間においてデータ電極に正の矩形波形電圧を印加するように構成したことを特徴とする。
【００２３】
この構成によれば、安定した書込み放電を発生させるために必要な壁電荷を１回の初期化動作において確実に形成し、書込み放電を安定に発生させることが可能となる。
【発明の効果】
【００２４】
本発明によれば、安定した書込み放電を発生させるために必要な壁電荷を１回の初期化動作において確実に形成し、書込み放電を安定に発生させることができるＰＤＰの駆動方法およびプラズマディスプレイ装置を提供することができる。
【発明を実施するための最良の形態】
【００２５】
以下、本発明の実施の形態によるプラズマディスプレイ装置について、図面を参照しながら説明する。
【００２６】
（実施の形態１）
図１は、本発明の実施の形態１におけるＰＤＰ１０の構造を示す斜視図である。図１に示すように、第１の基板であるガラス製の前面板２０上には、ストライプ状の走査電極２２とストライプ状の維持電極２３とで対をなす表示電極が複数形成されている。実施の形態１においては、例えば走査電極２２−維持電極２３の順で構成された表示電極対に隣接する表示電極対も同様に走査電極２２−維持電極２３の順で構成されている。したがって、前面板２０上には、走査電極２２−維持電極２３−走査電極２２−維持電極２３−走査電極２２−維持電極２３−・・・となるように配列されている。また、走査電極２２は、透明電極２２ａの上に金属電極である金属母線２２ｂを積層して形成され、維持電極２３は、透明電極２３ａの上に金属母線２３ｂを積層して形成されている。そして走査電極２２と維持電極２３とを覆うように誘電体層２４が形成され、その誘電体層２４上に保護層２５が形成されている。
【００２７】
第２の基板である背面板３０上には、走査電極２２および維持電極２３と立体交差するように、誘電体層３３で覆われた複数のストライプ状のデータ電極３２が形成されている。誘電体層３３上にはデータ電極３２と平行に複数の隔壁３４が配置され、この隔壁３４間の誘電体層３３上に蛍光体層３５が設けられている。また、データ電極３２は隣り合う隔壁３４の間の位置に配置されている。
【００２８】
これらの前面板２０と背面板３０とは、走査電極２２および維持電極２３とデータ電極３２とが直交するように、微小な放電空間を挟んで対向配置されるとともに、その外周部がガラスフリット等の封着材によって封着されている。そして放電空間には、例えばネオン（Ｎｅ）とキセノン（Ｘｅ）の混合ガスが放電ガスとして封入されている。放電空間は、隔壁３４によって複数の区画に仕切られており、各区画には赤色（Ｒ）、緑色（Ｇ）および青色（Ｂ）の各色に発光する蛍光体層３５が順次配置されている。そして、走査電極２２および維持電極２３とデータ電極３２とが交差する部分に放電セル４０が形成され、各色に発光する蛍光体層３５が形成された隣接する３つの放電セルにより１つの画素が構成される。この画素を構成する放電セルが形成された領域が画像表示領域となり、画像表示領域の周囲は、ガラスフリットが形成された領域等のように画像表示が行われない非表示領域となる。また、隔壁３４は、データ電極３２と平行な方向に延びて形成されている。その結果、隔壁３４は走査電極２２と維持電極２３とからなる一対の表示電極対に沿って放電セル４０を複数連結した放電セル行を形成している。
【００２９】
そして、走査電極２２、維持電極２３、データ電極３２はそれぞれの電極端子がガラス基板の端部に引き出されストライプ状に配列されている。
【００３０】
また、保護層２５は、放電セルにおける放電開始電圧を下げるために、ＡＣ型ＰＤＰの材料として使用実績があり、ネオン（Ｎｅ）およびキセノン（Ｘｅ）ガスを封入した場合に２次電子放出係数が大きく耐久性に優れた酸化マグネシウム（ＭｇＯ）を主成分とする材料から形成されている。
【００３１】
なお、走査電極２２および維持電極２３は、放電セル４０での発光を妨げないように例えば酸化インジウムや酸化スズ等からなるＩＴＯ（Ｉｎｄｉｕｍ  Ｔｉｎ  Ｏｘｉｄｅ）等の光透過性の高い導電体を材料とした透明電極に、導電性の高い例えば銀（Ａｇ）等の金属を材料とした金属母線が積層されて形成されている。
【００３２】
図２は、本発明の実施の形態１におけるＰＤＰ１０の電極配列図である。行方向にｎ行の走査電極ＳＣ１〜ＳＣｎ（図１の走査電極２２）とｎ行の維持電極ＳＵ１〜ＳＵｎ（図１の維持電極２３）とが交互に配列され、列方向にはｍ列のデータ電極Ｄ１〜Ｄｍ（図１のデータ電極３２）が配列されている。そして、一対の走査電極ＳＣｉ、維持電極ＳＵｉ（ｉ＝１〜ｎ）と１つのデータ電極Ｄｊ（ｊ＝１〜ｍ）とを含む放電セルＣｉ，ｊが放電空間内に形成され、放電セルＣの総数は（ｍ×ｎ）個になる。
【００３３】
このような構成のＰＤＰ１０においては、ガス放電により紫外線を発生させ、その紫外線で赤色（Ｒ）、緑色（Ｇ）、青色（Ｂ）の各色の蛍光体を励起して発光させることによりカラー表示を行っている。また、ＰＤＰ１０は、１フィールド期間を複数のサブフィールドに分割し、発光させるサブフィールドの組み合わせによって駆動されることにより階調表示を行う。各サブフィールドは初期化期間、書込み期間および維持期間からなり、画像データを表示するために、初期化期間、書込み期間および維持期間でそれぞれ異なる信号波形を各電極に印加している。
【００３４】
図３は、本発明の実施の形態１におけるプラズマディスプレイ装置の電気的構成を示すブロック図である。図３に示すプラズマディスプレイ装置は、Ａ／Ｄコンバータ１、映像信号処理回路２、サブフィールド処理回路３、データ電極駆動回路４、走査電極駆動回路５、維持電極駆動回路６、ＰＤＰ１０を備えている。
【００３５】
ＰＤＰ１０は、上述したとおり、行方向にｎ行の走査電極ＳＣ１〜ＳＣｎ（図１の走査電極２２）とｎ行の維持電極ＳＵ１〜ＳＵｎ（図１の維持電極２３）とが交互に配列され、列方向にｍ列のデータ電極Ｄ１〜Ｄｍ（図１のデータ電極３２）が配列されている。そして、一対の走査電極ＳＣｉ、維持電極ＳＵｉ（ｉ＝１〜ｎ）と１つのデータ電極Ｄｊ（ｊ＝１〜ｍ）とを含む放電セルＣｉ，ｊが放電空間内に（ｍ×ｎ）個形成され、赤色（Ｒ）、緑色（Ｇ）および青色（Ｂ）の各色に発光する３つの放電セルにより１つの画素が構成される。
【００３６】
Ａ／Ｄコンバータ１は、入力されたアナログの映像信号をデジタルの映像信号に変換する。映像信号処理回路２は、入力されたデジタルの映像信号を発光期間の重みの異なる複数のサブフィールドの組み合わせによってＰＤＰ１０に発光表示するため、１フィールドの映像信号から各サブフィールドの制御を行うサブフィールドデータに変換する。
【００３７】
サブフィールド処理回路３は、映像信号処理回路２で作成されたサブフィールドデータからデータ電極駆動回路用制御信号、走査電極駆動回路用制御信号および維持電極駆動回路用制御信号を生成し、データ電極駆動回路４、走査電極駆動回路５、維持電極駆動回路６へそれぞれ出力する。また、サブフィールド処理回路３は、走査電極駆動回路５および維持電極駆動回路６に設けられた維持パルス発生回路５１、６１を制御する制御信号を生成する。
【００３８】
データ電極駆動回路４は、データ電極駆動回路用制御信号にもとづいて各データ電極Ｄｊを独立して駆動する。
【００３９】
走査電極駆動回路５は、維持期間に走査電極ＳＣ１〜ＳＣｎに印加する維持パルスを発生するための維持パルス発生回路５１を内部に備え、各走査電極ＳＣ１〜ＳＣｎをそれぞれ独立して駆動することができる。そして、走査電極駆動回路用制御信号にもとづいて各走査電極ＳＣ１〜ＳＣｎを独立して駆動する。
【００４０】
維持電極駆動回路６は、維持期間に維持電極ＳＵ１〜ＳＵｎに印加する維持パルスを発生するための維持パルス発生回路６１を内部に備え、ＰＤＰ１０の全ての維持電極ＳＵ１〜ＳＵｎをまとめて駆動することができる。そして、維持電極駆動回路用制御信号にもとづいて維持電極ＳＵ１〜ＳＵｎを駆動する。
【００４１】
次に、本発明の実施の形態１におけるＰＤＰ１０を駆動するための駆動波形とそのタイミングについて、ＰＤＰ１０の動作とともに説明する。図４は、本発明の実施の形態１におけるＰＤＰ１０の各電極に印加する駆動電圧波形を示す図である。なお、１フィールド期間は複数のサブフィールドから構成され、それぞれのサブフィールドは、図４に示すように、初期化期間、書込み期間、維持期間を有する。
【００４２】
また、本発明の実施の形態１においては、初期化動作を行う初期化期間を第１の初期化期間である初期化期間前半部と第２の初期化期間である初期化期間後半部とに分けて初期化動作を行う。また、それぞれのサブフィールドは、発光期間の重みを変えるため維持期間における維持パルスの数を異ならせている以外はほぼ同様の動作を行う。また、各サブフィールドにおける動作原理もほぼ同様である。したがって、ここでは１つのサブフィールドについて動作を説明し、以降のサブフィールドにおける書込み動作および維持動作については同様の動作を行うものとする。
【００４３】
まず、初期化期間では、正のパルス電圧を全ての走査電極ＳＣ１〜ＳＣｎに印加し、走査電極ＳＣ１〜ＳＣｎおよび維持電極ＳＵ１〜ＳＵｎを覆う誘電体層２４上の保護層２５および蛍光体層３５上に必要な壁電荷を蓄積する。加えて、放電遅れを小さくして書込み放電を安定して発生させるためのプライミング（放電のための起爆剤＝励起粒子）を発生させるという働きを持つ。
【００４４】
具体的には、初期化期間前半部では、データ電極Ｄ１〜Ｄｍ、維持電極ＳＵ１〜ＳＵｎをそれぞれ０（Ｖ）に保持し、走査電極ＳＣ１〜ＳＣｎには、データ電極Ｄ１〜Ｄｍに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍとの間でそれぞれ１回目の微弱な初期化放電、すなわち第１の初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上に蓄積された壁電荷により生じる電圧を表す。
【００４５】
初期化期間後半部では、維持電極ＳＵ１〜ＳＵｎを正電圧Ｖｅに保ち、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。
【００４６】
同時に、データ電極Ｄ１〜Ｄｍには、走査電極ＳＣ１〜ＳＣｎに傾斜波形電圧が印加されている期間だけ継続される電圧Ｖｄａｔａとなる正の矩形波形電圧を印加する。
【００４７】
この間に、走査電極ＳＣ１〜ＳＣｎと維持電極ＳＵ１〜ＳＵｎ、データ電極Ｄ１〜Ｄｍとの間でそれぞれ２回目の微弱な初期化放電、すなわち第２の初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。以上により初期化動作が終了する。
【００４８】
次に、書込み期間では、全ての走査電極ＳＣ１〜ＳＣｎに順次負の走査パルスを印加することによって走査を行う。そして、走査電極ＳＣ１〜ＳＣｎを走査している間に、表示データにもとづきデータ電極Ｄ１〜Ｄｍに正の書込みパルス電圧Ｖｄ＋Ｖｄａｔａを印加する。こうして走査電極ＳＣ１〜ＳＣｎとデータ電極Ｄ１〜Ｄｍとの間に書込み放電が発生し、走査電極ＳＣ１〜ＳＣｎ上の保護層２５の表面に壁電荷が形成される。
【００４９】
具体的には、書込み期間では、走査電極ＳＣ１〜ＳＣｎを一旦電圧Ｖｓに保持する。次に、放電セルＣｐ，１〜Ｃｐ，ｍ（ｐは１〜ｎの整数）の書込み動作では、走査電極ＳＣｐに走査パルス電圧Ｖａを印加する。また、データ電極Ｄ１〜Ｄｍのうちｐ行目に表示すべき映像信号に対応するデータ電極Ｄｑ（ＤｑはＤ１〜Ｄｍのうち映像信号にもとづき選択されるデータ電極）には、初期化期間後半部にデータ電極Ｄ１〜Ｄｍに印加した正の矩形波形電圧Ｖｄａｔａに電圧Ｖｄを加えた正の書込みパルス電圧Ｖｄ＋Ｖｄａｔａを印加する。こうして、書込みパルス電圧Ｖｄ＋Ｖｄａｔａが印加されたデータ電極Ｄｑと走査パルス電圧Ｖａが印加された走査電極ＳＣｐとの交差部に対応する放電セルＣｐ，ｑで書込み放電が発生する。この書込み放電により放電セルＣｐ，ｑの走査電極ＳＣｐ上部に正電圧が蓄積され、維持電極ＳＵｐ上部に負電圧が蓄積されて、書込み動作が終了する。以下、同様の書込み動作をｎ行目の放電セルＣｎ，ｑに至るまで行い、書込み動作が終了する。
【００５０】
続く維持期間では、一定の期間、走査電極ＳＣ１〜ＳＣｎと維持電極ＳＵ１〜ＳＵｎとの間に放電を維持するのに十分な電圧を印加する。これにより、走査電極ＳＣ１〜ＳＣｎと維持電極ＳＵ１〜ＳＵｎとの間に放電プラズマが生成され、一定の期間、蛍光体層３５を励起発光させる。このとき、書込み期間において書込みパルス電圧が印加されなかった放電空間では、放電は発生せず蛍光体層３５の励起発光は起こらない。
【００５１】
具体的には、維持期間では、走査電極ＳＣ１〜ＳＣｎを０（Ｖ）に一旦戻した後、走査電極ＳＣ１〜ＳＣｎに正の維持パルス電圧Ｖｕを印加する。その後、維持電極ＳＵ１〜ＳＵｎを０（Ｖ）に戻す。このとき、書込み放電を起こした放電セルＣｐ，ｑにおける走査電極ＳＣｐ上部と維持電極ＳＵｐ上部との間の電圧は、正の維持パルス電圧Ｖｕに加えて、書込み期間において走査電極ＳＣｐ上部および維持電極ＳＵｐ上部に蓄積された壁電圧が加算されて、放電開始電圧より大きくなり、１回目の維持放電が発生する。そして、維持放電を起こした放電セルＣｐ，ｑでは、維持放電発生時における走査電極ＳＣｐと維持電極ＳＵｐとの電位差を打ち消すように走査電極ＳＣｐ上部に負電圧が蓄積され、維持電極ＳＵｐ上部に正電圧が蓄積される。こうして、１回目の維持放電が終了する。１回目の維持放電の後、維持電極ＳＵ１〜ＳＵｎに維持パルス電圧Ｖｕを印加し、その後、走査電極ＳＣ１〜ＳＣｎを０（Ｖ）に戻す。このとき、１回目の維持放電を起こした放電セルＣｐ，ｑにおける走査電極ＳＣｐ上部と維持電極ＳＵｐ上部との間の電圧は、正の維持パルス電圧Ｖｕに加えて、１回目の維持放電において走査電極ＳＣｐ上部および維持電極ＳＵｐ上部に蓄積された壁電圧が加算されて放電開始電圧より大きくなり、２回目の維持放電が発生する。以降同様に、走査電極ＳＣ１〜ＳＣｎと維持電極ＳＵ１〜ＳＵｎとに維持パルスを交互に印加することにより、書込み放電を起こした放電セルＣｐ，ｑに対して維持パルスの回数だけ維持放電が継続して行われる。以上で１つのサブフィールドが終了する。
【００５２】
安定した書込み放電を発生させるために必要な壁電荷を放電セル内の壁面に過不足なく確実に蓄積するためには、局所的な放電ではなく、放電セル内の広い範囲に安定した放電を発生させることが重要である。
【００５３】
しかし、初期化放電では、強い放電を発生させると、表示される画像に関係のない不要な発光が放電セルに生じてしまう。このような発光は画像の品位を損ねてしまうため、発生させない方がよい。したがって、初期化放電ではそのような不要な発光が生じないように微弱な放電を発生させている。この微弱な放電は、局所的に発生した弱い放電が徐々に周囲に広がっていき、放電セル内全体での放電となる。こうして、不必要な発光を生じさせることなく、放電セル内の壁面に壁電荷を蓄積させている。
【００５４】
一方で、データ電極上に形成された蛍光体層が放電を起こり難くしている等、走査電極とデータ電極との間に発生させる放電に関しては放電が不安定になりやすい要因がある。
【００５５】
そして、そのような放電が不安定に発生すると、放電セル内の隅々にまで放電が広がらず、安定した書込み放電を発生させるために必要な壁電荷を過不足なく形成することができなくなる。
【００５６】
例えば、第２の初期化放電が不安定に発生してしまい、第１の初期化放電で形成された壁電圧が第２の初期化放電で十分に弱められず、壁電圧が高いまま残留してしまうことがある。そして、そのような壁電圧は、書込み放電を、発光を伴う強い異常な放電として発生させてしまう。そして、その発光はＰＤＰ１０の表示面に輝点として観測され、表示される画像の品位を損ねてしまう。
【００５７】
しかし、本発明の実施の形態１における駆動方法では、初期化期間後半部において、データ電極Ｄ１〜Ｄｍに、走査電極ＳＣ１〜ＳＣｎに傾斜波形電圧が印加されている期間だけ継続される電圧Ｖｄａｔａとなる正の矩形波形電圧を印加している。これにより、走査電極ＳＣ１〜ＳＣｎと維持電極ＳＵ１〜ＳＵｎとの間に発生させる放電を不要に強めることなく、走査電極ＳＣ１〜ＳＣｎとデータ電極Ｄ１〜Ｄｍとの間に十分な電位差を設けることができる。したがって、不要な発光を生じさせることなく、放電セル内の広い範囲に安定した初期化放電を発生させることができるようになる。
【００５８】
以上述べたように、本発明の実施の形態１においては、初期化期間後半部において、データ電極Ｄ１〜Ｄｍに、走査電極ＳＣ１〜ＳＣｎに傾斜波形電圧が印加されている期間だけ継続される電圧Ｖｄａｔａとなる正の矩形波形電圧を印加することにより、不要な発光を生じさせることなく、１回の初期化動作で書込み放電に必要な壁電荷を過不足なく確実に形成することができる。したがって、例えば１フィールド期間に１回しか全セル初期化動作を行わないような駆動方法であっても、安定した書込み放電を発生させることが可能になる。
【００５９】
なお、本発明の実施の形態１においては、データ電極に印加する正の矩形波形電圧Ｖｄａｔａの電圧値を特に規定していないが、この電圧値はＰＤＰの特性や仕様等にもとづき最適化することが望ましい。
【産業上の利用可能性】
【００６０】
本発明に係るＰＤＰの駆動方法およびプラズマディスプレイ装置は、安定した書込み放電を発生させるために必要な壁電荷を１回の初期化動作において確実に形成し、書込み放電を安定に発生させることができるので、ＰＤＰの駆動方法およびプラズマディスプレイ装置として有用である。
【図面の簡単な説明】
【００６１】
【図１】本発明の実施の形態１におけるＰＤＰの構造を示す斜視図
【図２】同ＰＤＰの電極配列図
【図３】本発明の実施の形態１におけるプラズマディスプレイ装置の電気的構成を示すブロック図
【図４】本発明の実施の形態１におけるＰＤＰの各電極に印加する駆動電圧波形を示す図
【図５】従来技術におけるＰＤＰの各電極に印加する駆動電圧波形を示す図
【符号の説明】
【００６２】
１    Ａ／Ｄコンバータ
２    映像信号処理回路
３    サブフィールド処理回路
４    データ電極駆動回路
５    走査電極駆動回路
６    維持電極駆動回路
１０    プラズマディスプレイパネル（ＰＤＰ）
２０    （ガラス製の）前面板
２２    走査電極
２２ａ，２３ａ    透明電極
２２ｂ，２３ｂ    金属母線
２３    維持電極
２４，３３    誘電体層
２５    保護層
３０    背面板
３２    データ電極
３４    隔壁
３５    蛍光体層
４０    放電セル
５１，６１    維持パルス発生回路
【図１】
2007133207.tif 000003
【図２】
2007133207.tif 000004
【図３】
2007133207.tif 000005
【図４】
2007133207.tif 000006
【図５】
2007133207.tif 000007